【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
第１の演出装置と、遊技を行っている遊技者から見て前記第１の演出装置より遊技者側に配置されている第２の演出装置と、前記第２の演出装置を制御する制御回路を備え、
前記第２の演出装置は、印加電圧によって光透過状態と光吸収状態に設定されるＳＰＤシャッターにより構成されており、
前記制御回路は、前記第１の演出装置により遊技者への特典の付与に関係する演出が行われない期間では、前記ＳＰＤシャッターを光吸収状態に設定し、前記第１の演出装置により遊技者への特典の付与に関係する演出が行われる期間中の少なくとも一部の期間では、前記ＳＰＤシャッターを光透過状態に設定するように、前記ＳＰＤシャッターへの印加電圧を制御することを特徴とする遊技機。
【請求項２】
請求項１に記載の遊技機であって、
開口部と、前記開口部を開閉する開閉部材を備え、
前記開閉部材は、遊技者への特典の付与に関係する遊技条件が満足されていない時には、遊技媒体が前記開口部を通過して前記第１の演出装置に流れるのを禁止する閉状態に制御され、遊技者への特典の付与に関係する遊技条件が満足された時には、遊技媒体が前記開口部を通過して前記第１の演出装置に流れるのを許可する開状態に制御されるように構成されており、
前記制御回路は、前記開閉部材が閉状態に制御されている期間では、前記ＳＰＤシャッターを光吸収状態に設定し、前記開閉部材が開状態に制御されている期間では、前記ＳＰＤシャッターを光透過状態に設定することを特徴とする遊技機。
【請求項３】
請求項１に記載の遊技機であって、
開口部と、前記開口部を開閉する開閉部材と、前記開口部を通過した遊技媒体を検出する遊技媒体検出装置を備え、
前記開閉部材は、遊技者への特典の付与に関係する遊技条件が満足されていない時には、遊技媒体が前記開口部を通過して前記第１の演出装置に流れるのを禁止する閉状態に制御され、遊技者への特典の付与に関係する遊技条件が満足された時には、遊技媒体が前記開口部を通過して前記第１の演出装置に流れるのを許可する開状態に制御されるように構成されており、
前記制御回路は、前記開閉部材が閉状態に制御されている期間では、前記ＳＰＤシャッターを光吸収状態に設定し、前記遊技媒体検出装置が前記開口部を遊技媒体が通過したことを検出した時に、前記ＳＰＤシャッターを光透過状態に設定することを特徴とする遊技機。
【手続補正２】
【補正対象書類名】明細書
【補正対象項目名】０００４
【補正方法】変更
【補正の内容】
【０００４】
以下に説明する本発明は、好適には遊技球を用いるパチンコ機等の弾球遊技機として構成されるが、これ以外の種々の型式の遊技機として構成可能である。
第１発明は、請求項１に記載されたとおりの遊技機である。
第１発明は、遊技者への特典の付与に関係する演出を行う第１の演出装置を有している。第１の演出装置としては、例えば、遊技者への特典の付与に関係する遊技条件が満足された時に開状態に制御される開閉部材によって開閉される開口部を通過した遊技媒体が流れる演出装置（遊技媒体誘導装置、遊技媒体振り分け装置、特別入賞口等）が対応する。遊技者への特典の付与に関係する遊技条件としては、例えば、始動入賞装置への遊技媒体の入球（抽選条件の成立）に起因して行われる抽選の結果が当たりである条件が用いられる。あるいは、抽選を行う遊技条件の成立に起因して行われた抽選の結果を表示する表示装置が対応する。抽選を行う遊技条件としては、典型的には、始動入賞装置に遊技媒体が入球した条件が用いられる。
そして、遊技を行っている遊技者から見て第１の演出装置より遊技者側（前方）に第２の演出装置が配置されている。第２の演出装置は、印加電圧によって光透過状態と光吸収状態に設定可能なＳＰＤ(懸濁粒子デバイス：Suspended  Particle  Device)シャッターが用いられている。ＳＰＤシャッターは、一般的には、小さい粒子を含有する液滴を含むＳＰＤセルと、ＳＰＤセルを挟んで両側（入射側、出射側）に配置された電極により構成される。典型的には、「ＳＰＤセルの光吸収状態」は、ＳＰＤセルの電源がオフであり、ＳＰＤセルが黒色となって、ＳＰＤセル内に入射した光の大部分がＳＰＤセル内で吸収される状態を意味し、「ＳＰＤセルの光透過状態」は、ＳＰＤセルの電源がオンであり、ＳＰＤセルが透明となって、ＳＰＤセル内に入射した光の大部分がＳＰＤセルを透過する状態を意味する。ＳＰＤシャッターが光吸収状態に設定され、黒色となっている状態では、液晶シャッターが不透明状態に設定されている状態のように、外光によって、ＳＰＤシャッターの後方に配置されている演出装置が遊技者に見えることはない。
また、ＳＰＤシャッターへの印加電圧を制御してＳＰＤシャッターを光透過状態あるいは光吸収状態に設定する制御回路が設けられている。ＳＰＤシャッターへの印加電圧を制御する態様としては、典型的には、ＳＰＤシャッターの電源をオン制御あるいはオフ制御する態様が用いられる。
制御回路は、第１の演出装置により遊技者への特典の付与に関係する演出が行われていない期間では、ＳＰＤシャッターを光吸収状態に設定し、遊技者が第１の演出装置の状態を完全に見えないようにする。また、第１の演出装置により遊技者への特典の付与に関係する演出が行われる期間中の少なくとも一部の期間では、ＳＰＤシャッターを光透過状態に設定し、遊技者が第１の演出装置の状態を見えるようにする。「第１の演出装置により遊技者への特典の付与に関係する演出が行われない期間」や「第１の演出装置により遊技者への特典の付与に関係する演出が行われる期間」は、例えば、遊技媒体が、遊技者への特典の付与に関係する遊技条件が満足された時に開制御される開閉部材によって開閉される開口部を通過して第１の演出装置に流れるように構成されている場合には、それぞれ「開閉部材が閉状態に制御されている期間」や「開閉部材が開状態に制御されている期間」が対応する。あるいは、抽選を行う遊技条件が満足されたことに起因して行われた抽選の結果が表示装置に表示されるように構成されている場合には、それぞれ、「表示装置に抽選結果が表示されていない期間」や「表示装置に表示結果が表示されている期間」が対応する。「第１の演出装置により遊技者への特典の付与に関係する演出が行われる期間中の少なくとも一部の期間」は、例えば、遊技媒体が、遊技者への特典の付与に関係する遊技条件が満足された時に開制御される開閉部材によって開閉される開口部を通過して第１の演出装置に流れるように構成されている場合には、開閉部材によって開閉される開口部を遊技媒体が通過したことを検出してから設定期間が対応する。「第１の演出装置により遊技者への特典の付与に関係する演出が行われる期間中の少なくとも一部の期間」は、第１の演出装置により遊技者への特典の付与に関係する演出が行われる期間中の複数の期間であってもよい。勿論、全期間であってもよい。
第２発明は、請求項２に記載されたとおりの遊技機である。
第２発明は、開口部と、開口部を開閉する開閉部材が設けられており、開口部を通過した遊技媒体が第１の演出装置に流れるように構成されている。開閉部材は、遊技者への特典の付与に関係する遊技条件が満足されていない時には、遊技媒体が開口部を通過して第１の演出装置に流れるのを禁止する閉状態に制御され、遊技者への特典の付与に関係する遊技条件が満足された時には、遊技媒体が開口部を通過して前記第１の演出装置に流れるのを許可する開状態に制御される。遊技者への特典の付与に関係する遊技条件としては、例えば、抽選を行う遊技条件が満足されたことに起因して行われた抽選の結果が当たりである条件、あるいは、抽選の結果を表示する条件が対応する。「開閉部材を開状態に制御する」態様には、開口部を開けた状態とする態様や、開口部を開けた状態と閉じた状態に交互に切り替える態様が含まれる。
そして、制御回路は、開閉部材が閉状態に制御されている期間ではＳＰＤシャッターを光吸収状態に設定し、開閉部材が開状態に制御されている期間ではＳＰＤシャッターを光透過状態に設定する。
第３発明は、請求項３に記載されたとおりの遊技機である。
第３発明は、開口部と、開口部を開閉する開閉部材と、開口部を遊技媒体が通過したことを検出する遊技媒体検出装置が設けられており、開口部を通過した遊技媒体が第１の演出装置に流れるように構成されている。開閉部材は、遊技者への特典の付与に関係する遊技条件が満足されていない時には、遊技媒体が開口部を通過して第１の演出装置に流れるのを禁止する閉状態に制御され、遊技者への特典の付与に関係する遊技条件が満足された時には、遊技媒体が開口部を通過して前記第１の演出装置に流れるのを許可する開状態に制御される。
そして、制御回路は、開閉部材が閉状態に制御されている期間ではＳＰＤシャッターを光吸収状態に設定し、遊技媒体検出装置が開口部を遊技媒体が通過したことを検出した時にＳＰＤシャッターを光透過状態に設定する。この場合、ＳＰＤシャッターを光透過状態に設定する期間としては、例えば、開口部を通過した遊技媒体が第１の演出装置を流れる期間以上に設定される。ここで、遊技媒体が開口部を通過するのは、開閉部材が開状態に制御されている期間である。したがって、開閉部材が開状態に制御されている状態で、遊技媒体検出装置が開口部を遊技媒体が通過したことを検出した時にＳＰＤシャッターを光透過状態に設定するように構成することもできる。
【手続補正３】
【補正対象書類名】明細書
【補正対象項目名】０００５
【補正方法】変更
【補正の内容】
【０００５】
請求項１〜３に記載の遊技機では、遊技者から見て第１の演出装置より遊技者側に、光透過状態と光吸収状態に設定可能なＳＰＤシャッターが配置されているため、第１の演出装置の状態を完全に隠すことができる。これにより、第１の演出装置の状態を遊技者に見せない状態から突然遊技者に見せる状態に切り替える演出を行う場合の演出効果を高めることができる。